(57)【要約】本願の実施例は、無線通信技術分野に関し、特に、通信を行う方法及び装置に関し、ユーザー装置がネットワーク側から送信されたアップリンク・ダウンリンクサブフレーム配置情報を携えた物理層制御シグナリングを正しく受信できないと、ネットワークと通常に通信できず、ユーザのスループットがひどく低減してしまうという従来の技術に存在している問題を解決するためのものである。本願の実施例による方法は、ユーザー装置が前記周期内で前記アップリンク・ダウンリンクサブフレーム配置情報を受信できなかった場合、特定のアップリンク・ダウンリンクサブフレーム配置を確定するステップと、ユーザー装置が特定のアップリンク・ダウンリンクサブフレーム配置に従って前記周期内で前記ネットワーク側装置と通信するステップと、を含む。本願の実施例による方案によれば、ユーザー装置がネットワーク側から送信されたアップリンク・ダウンリンクサブフレーム配置情報を携えた物理層制御シグナリングを正しく受信できなくて、ネットワークと通常に通信できない状況の発生確率が低下し、ユーザーのスループットが向上することになる。【選択図】図２
2016515781.tif 000002
【特許請求の範囲】
【請求項１】
通信を行う方法であって、
ユーザー装置が、現在アップリンク・ダウンリンクサブフレームの再配置周期内で、ネットワーク側装置から送信されたアップリンク・ダウンリンクサブフレーム配置情報を受信するステップと、
前記ユーザー装置が、前記周期内で前記アップリンク・ダウンリンクサブフレーム配置情報を受信できなかった場合、特定のアップリンク・ダウンリンクサブフレーム配置を確定するステップと、
前記ユーザー装置が、特定のアップリンク・ダウンリンクサブフレーム配置に従って前記周期内で前記ネットワーク側装置と通信するステップと、
を含むことを特徴とする方法。
【請求項２】
請求項１に記載の方法において、
前記ユーザー装置による特定のアップリンク・ダウンリンクサブフレーム配置の確定は、
前記ユーザー装置が、最新に成功受信したアップリンク・ダウンリンクサブフレーム配置情報に対応するアップリンク・ダウンリンクサブフレーム配置を、特定のアップリンク・ダウンリンクサブフレーム配置とすること、あるいは、
前記ユーザー装置が、全ての候補となるアップリンク・ダウンリンクサブフレーム配置から、ダウンリンクサブフレーム又はアップリンクサブフレームの最も多いアップリンク・ダウンリンクサブフレーム配置を選択して、特定のアップリンク・ダウンリンクサブフレーム配置とすること、あるいは、
前記ユーザー装置が、その前に受信した、ネットワーク側装置から上位階層シグナリングにより送信された特定のアップリンク・ダウンリンクサブフレーム配置情報に基づいて、特定のアップリンク・ダウンリンクサブフレーム配置を確定すること、あるいは、
前記ユーザー装置が、その前に受信した、ネットワーク側装置からシステムブロードキャストにより送信されたアップリンク・ダウンリンクサブフレーム配置情報に対応するアップリンク・ダウンリンクサブフレーム配置を、特定のアップリンク・ダウンリンクサブフレーム配置とすること、あるいは、
前記ユーザー装置が、ダウンリンク・ハイブリッド自動再送要求フィードバックタイミング関係（ＤＬ  ＨＡＲＱ  ｔｉｍｉｎｇ）又はアップリンク・ハイブリッド自動再送要求フィードバックタイミング関係（ＵＬ  ＨＡＲＱ  ｔｉｍｉｎｇ）を確定するための基準アップリンク・ダウンリンクサブフレーム配置を、特定のアップリンク・ダウンリンクサブフレーム配置とすること、あるいは、
前記ユーザー装置が、第３世代移動通信システム標準化プロジェクトの仕様である３ＧＰＰ  ＴＳ３６．２１１に規定されているアップリンク・ダウンリンク配置から１つのアップリンク・ダウンリンク配置を選択して、特定のアップリンク・ダウンリンクサブフレーム配置とすること
を含むことを特徴とする方法。
【請求項３】
請求項２に記載の方法において、
前記ユーザー装置が、３ＧＰＰ  ＴＳ３６．２１１に規定されているアップリンク・ダウンリンク配置から、アップリンク・ダウンリンク配置２又はアップリンク・ダウンリンク配置５を選択することを特徴とする方法。
【請求項４】
請求項２に記載の方法において、
前記ユーザー装置が、３ＧＰＰ  ＴＳ３６．２１１に規定されているアップリンク・ダウンリンク配置から、アップリンク・ダウンリンク配置０を選択することを特徴とする方法。
【請求項５】
請求項１ないし４のいずれか一項に記載の方法において、
前記周期内での前記ユーザー装置と前記ネットワーク側装置との通信は、
前記ユーザー装置が前記周期内で特定のアップリンク・ダウンリンクサブフレーム配置に従って前記ネットワーク側装置と通信し、前記特定のアップリンク・ダウンリンクサブフレーム配置を、現在アップリンク・ダウンリンクサブフレームの再配置周期内のアップリンクサブフレーム及び／又はダウンリンクサブフレームの確定に用いる方式と、
前記ユーザー装置が前記周期内で特定のアップリンク・ダウンリンクサブフレーム配置に従って前記ネットワーク側装置と通信し、前記特定のアップリンク・ダウンリンクサブフレーム配置を、物理ダウンリンク制御チャネル（ＰＤＣＣＨ）及び／又は拡張された物理ダウンリンク制御チャネル（Ｅ−ＰＤＣＣＨ）のブラインド検出を行うサブフレームの確定に用いる方式と、
前記ユーザー装置が前記周期内で特定のアップリンク・ダウンリンクサブフレーム配置に従って前記ネットワーク側装置と通信し、前記特定のアップリンク・ダウンリンクサブフレーム配置を、ＤＬ  ＨＡＲＱ  ｔｉｍｉｎｇの確定に用いる方式と、
前記ユーザー装置が前記周期内で特定のアップリンク・ダウンリンクサブフレーム配置に従って前記ネットワーク側装置と通信し、前記特定のアップリンク・ダウンリンクサブフレーム配置を、アップリンクＰＵＳＣＨスケジューリング・タイミング及びアップリンクＨＡＲＱ  ｔｉｍｉｎｇの確定に用いる方式と
の一部又は全部を含むことを特徴とする方法。
【請求項６】
通信を行うユーザー装置であって、
現在アップリンク・ダウンリンクサブフレームの再配置周期内で、ネットワーク側装置から送信されたアップリンク・ダウンリンクサブフレーム配置情報を受信する受信モジュールと、
前記周期内で前記アップリンク・ダウンリンクサブフレーム配置情報を受信できなかった場合、特定のアップリンク・ダウンリンクサブフレーム配置を確定する確定モジュールと、
特定のアップリンク・ダウンリンクサブフレーム配置に従って前記周期内で前記ネットワーク側装置と通信する通信モジュールと、
を含むことを特徴とするユーザー装置。
【請求項７】
請求項６に記載のユーザー装置において、
前記確定モジュールは、具体的に、
最新に成功受信したアップリンク・ダウンリンクサブフレーム配置情報に対応するアップリンク・ダウンリンクサブフレーム配置を、特定のアップリンク・ダウンリンクサブフレーム配置とすること、あるいは、
全ての候補となるアップリンク・ダウンリンクサブフレーム配置から、ダウンリンクサブフレーム又はアップリンクサブフレームの最も多いアップリンク・ダウンリンクサブフレーム配置を選択して、特定のアップリンク・ダウンリンクサブフレーム配置とすること、あるいは、
その前に受信した、ネットワーク側装置から上位階層シグナリングにより送信された特定のアップリンク・ダウンリンクサブフレーム配置情報に基づいて、特定のアップリンク・ダウンリンクサブフレーム配置を確定すること、あるいは、
その前に受信した、ネットワーク側装置からシステムブロードキャストにより送信されたアップリンク・ダウンリンクサブフレーム配置情報に対応するアップリンク・ダウンリンクサブフレーム配置を、特定のアップリンク・ダウンリンクサブフレーム配置とすること、あるいは、
ＤＬ  ＨＡＲＱ  ｔｉｍｉｎｇ又はＵＬ  ＨＡＲＱ  ｔｉｍｉｎｇを確定するための基準アップリンク・ダウンリンクサブフレーム配置を、特定のアップリンク・ダウンリンクサブフレーム配置とすること、あるいは、
３ＧＰＰ  ＴＳ３６．２１１に規定されているアップリンク・ダウンリンク配置から１つのアップリンク・ダウンリンク配置を選択して特定のアップリンク・ダウンリンクサブフレーム配置とすること
に用いられることを特徴とするユーザー装置。
【請求項８】
請求項７に記載のユーザー装置において、
前記確定モジュールは、具体的に
３ＧＰＰ  ＴＳ３６．２１１に規定されているアップリンク・ダウンリンク配置から１つのアップリンク・ダウンリンク配置を選択して特定のアップリンク・ダウンリンクサブフレーム配置とするときに、３ＧＰＰ  ＴＳ３６．２１１に規定されているアップリンク・ダウンリンク配置からアップリンク・ダウンリンク配置２又はアップリンク・ダウンリンク配置５を選択することに用いられることを特徴とするユーザー装置。
【請求項９】
請求項７に記載のユーザー装置において、
前記確定モジュールは、具体的に
３ＧＰＰ  ＴＳ３６．２１１に規定されているアップリンク・ダウンリンク配置から１つのアップリンク・ダウンリンク配置を選択して特定のアップリンク・ダウンリンクサブフレーム配置とするときに、３ＧＰＰ  ＴＳ３６．２１１に規定されているアップリンク・ダウンリンク配置からアップリンク・ダウンリンク配置０を選択することに用いられることを特徴とするユーザー装置。
【請求項１０】
請求項６ないし９のいずれか一項に記載のユーザー装置において、
前記通信モジュールは、具体的に、
前記周期内で特定のアップリンク・ダウンリンクサブフレーム配置に従って前記ネットワーク側装置と通信し、前記特定のアップリンク・ダウンリンクサブフレーム配置を、現在アップリンク・ダウンリンクサブフレームの再配置周期内のアップリンクサブフレーム及び／又はダウンリンクサブフレームの確定に用いる方式と、
前記周期内で特定のアップリンク・ダウンリンクサブフレーム配置に従って前記ネットワーク側装置と通信し、前記特定のアップリンク・ダウンリンクサブフレーム配置を、ＰＤＣＣＨ及び／又はＥ−ＰＤＣＣＨのブラインド検出を行うサブフレームの確定に用いる方式と、
前記周期内で特定のアップリンク・ダウンリンクサブフレーム配置に従って前記ネットワーク側装置と通信し、前記特定のアップリンク・ダウンリンクサブフレーム配置を、ＤＬ  ＨＡＲＱ  ｔｉｍｉｎｇの確定に用いる方式と、
前記周期内で特定のアップリンク・ダウンリンクサブフレーム配置に従って前記ネットワーク側装置と通信し、前記特定のアップリンク・ダウンリンクサブフレーム配置を、アップリンクＰＵＳＣＨスケジューリング・タイミング及びアップリンクＨＡＲＱ  ｔｉｍｉｎｇの確定に用いる方式と
の一部又は全部を含む、前記周期内での前記ネットワーク側装置との通信に用いられることを特徴とするユーザー装置。
【発明の詳細な説明】
【技術分野】
【０００１】
本出願は、２０１３年４月１日に中国特許局に出願され、出願番号が２０１３１０１１１４６１．１、発明の名称が「通信を行う方法及び装置」の中国特許出願の優先権を主張するものであり、その内容全体は引用によって本願に取り込まれている。
【０００２】
本発明は、無線通信技術分野に関し、特に、通信を行う方法及び装置に関する。
【背景技術】
【０００３】
２大基本デュプレックス仕様の一つであるＴＤＤ（Ｔｉｍｅ  ｄｉｖｉｓｉｏｎ  ｄｕｐｌｅｘ，時分割複信）モードは、広帯域移動通信の帯域幅要求が絶え間なく増大している背景下で、益々多くの注目を集めている。ＴＤＤシステムにおけるアップリンク・ダウンリンク伝送には同一の周波数リソースが利用され、異なるタイムスロットでアップリンク・ダウンリンク信号が伝送される。通常のＴＤＤシステムには、３ＧのＴＤ−ＳＣＤＭＡ（Ｔｉｍｅ  Ｄｉｖｉｓｉｏｎ  Ｓｙｎｃｈｒｏｎｉｚｅｄ  Ｃｏｄｅ  Ｄｉｖｉｓｉｏｎ  Ｍｕｌｔｉｐｌｅ  Ａｃｃｅｓｓ，時分割同期コード分割多重アクセス）システムと、４ＧのＴＤ−ＬＴＥ（ＴＤ−ＳＣＤＭＡ  Ｌｏｎｇ  Ｔｅｒｍ  Ｅｖｏｌｕｔｉｏｎ，時分割同期コード分割多重アクセス−ロング・ターム・エボリューション）システムが含まれており、アップリンク・ダウンリンクタイムスロットは、スタティック方式（ｓｔａｔｉｃ）又はセミ−スタティック方式（Ｓｅｍｉ−Ｓｔａｔｉｃ）で区画されており、通常の取り扱い方法としては、ネットワーク計画中に、セルのタイプ及び大体の業務割合に基づいて、アップリンク・ダウンリンクタイムスロットの比例割り当てを確定して維持する。この取り扱い方法は、マクロセルの広範囲カバリッジの背景下で、比較的に簡単、かつ効果的なものである。３ＧＰＰ（３ｒｄ  Ｇｅｎｅｒａｔｉｏｎ  Ｐａｒｔｎｅｒｓｈｉｐ  Ｐｒｏｊｅｃｔ，第３世代移動通信システム標準化プロジェクト）ＬＴＥ  Ｒｅｌ（リリース）−８／９／１０中のＴＤＤモードでは、図１に示されるフレーム構造が用いられ、アップリンク・ダウンリンクサブフレームの割り当て方式としては、表１に示される７種類の方式がサポートされている。
【０００４】
１つの無線フレームは、長さが１０ｍｓであり、特殊サブフレームと通常サブフレームとの２種類があり、計１０個のサブフレームから構成されており、各サブフレームが１ｍｓである。特殊サブフレームは、ＤｗＰＴＳ（Ｄｏｗｎｌｉｎｋ  Ｐｉｌｏｔ  Ｔｉｍｅ  Ｓｌｏｔ，ダウンリンク・パイロット・サブフレーム）と、ＧＰ（ダウンリンクとアップリンク間のガード間隔として用いられた）と、ＵｐＰＴＳ（Ｕｐｌｉｎｋ  Ｐｉｌｏｔ  Ｔｉｍｅ  Ｓｌｏｔ，アップリンク・パイロット・サブフレーム）との３種類のサブフレームに分けられる。通常サブフレームは、アップリンクサブフレームとダウンリンクサブフレームから構成され、アップリンク／ダウンリンク制御チャネル及び業務データ等の伝送に用いられる。１つの無線フレームには、２つの特殊サブフレーム（サブフレーム１と６に位置する）が配置されてもよいし、又は１つの特殊サブフレーム（サブフレーム１に位置する）が配置されてもよい。サブフレーム０、サブフレーム５及び特殊サブフレームにおけるＤｗＰＴＳサブフレームは、常時にダウンリンク伝送に用いられ、サブフレーム２及び特殊サブフレームにおけるＵｐＰＴＳサブフレームは、常時にアップリンク伝送に用いられ、その他のサブフレームは需要に応じてアップリンク伝送に用いられるか、又はダウンリンク伝送に用いられるように配置される。
【表１】
2016515781.tif 000003
【０００５】
ネットワークの発展に従い、３ＧＰＰ  ＴＲ３６．８２８および一部の３ＧＰＰ会議の提案において、ＴＤＤセルにおける柔軟なＵＬ−ＤＬサブフレーム割り当てをサポートするシグナリング設計方案が幾つか披露されており、そのうちの一方式は、基地局が物理層の制御チャネル／信号を介して、ＴＤＤアップリンク・ダウンリンクサブフレーム配置を指示する情報をユーザー装置に送信して、現在、セルにおいて使用されているアップリンク・ダウンリンクサブフレーム配置情報をユーザー装置に報知する方式である。ここでは、物理層制御チャネルとして、ＰＤＣＣＨ（Ｐｈｙｓｉｃａｌ  Ｄｏｗｎｌｉｎｋ  Ｃｏｎｔｒｏｌ  Ｃｈａｎｎｅｌ，物理ダウンリンク制御チャネル）における特定のＤＣＩ（Ｄｏｗｎｌｉｎｋ  Ｃｏｎｔｒｏｌ  Ｉｎｆｏｒｍａｔｉｏｎ，ダウンリンク制御情報）ｆｏｒｍａｔ（フォーマット）、又は、ＰＢＣＨ（Ｐｈｙｓｉｃａｌ  Ｂｒｏａｄｃａｓｔ  Ｃｈａｎｎｅｌ，物理ブロードキャストチャネル）などの物理チャネルなどが用いられる。
【０００６】
現在の物理層制御チャネル、例えば、ＰＤＣＣＨ、ＰＢＣＨなどのいずれにも、ＨＡＲＱ（Ｈｙｂｒｉｄ  Ａｕｔｏｍａｔｉｃ  Ｒｅｐｅａｔ  ｒｅｑｕｅｓｔ，ハイブリッド自動再送要求）メカニズムが存在しなく、もしユーザー装置がアップリンク・ダウンリンクサブフレーム配置情報を携えた物理層制御シグナリングを誤って復調したと、ユーザー装置がセルの現在無線フレームに使用されたアップリンク・ダウンリンクサブフレーム配置を獲得することができず、よってＰＤＣＣＨ／ＥＰＤＣＣＨ（拡張されたＰＤＣＣＨ）のサブフレームのブラインド検出を行うサブフレーム、およびアップリンク・ダウンリンクＨＡＲＱ  ｔｉｍｉｎｇ（ハイブリッド自動再送要求フィードバックタイミング関係）などを確定することができず、このときに、当該アップリンク・ダウンリンクサブフレームの再配置周期内で、ユーザー装置がネットワークと正常に通信できず、ユーザーのスループットがひどく低減してしまうことになる。
【０００７】
上記をまとめて、現在では、ユーザー装置がネットワーク側から送信されたアップリンク・ダウンリンクサブフレーム配置情報を携えた物理層制御シグナリングを正しく受信できないと、ユーザー装置がネットワークと正常に通信できず、ユーザーのスループットがひどく低減してしまうことになる。
【発明の概要】
【０００８】
本発明は、ユーザー装置がネットワーク側から送信されたアップリンク・ダウンリンクサブフレーム配置情報を携えた物理層制御シグナリングを正しく受信できないと、ユーザー装置がネットワークと正常に通信できず、ユーザのスループットがひどく低減してしまうという従来の技術に存在している問題を解決するための通信を行う方法及び装置を提供する。
【０００９】
本発明の実施例で提供したアップリンク・ダウンリンクサブフレーム配置情報を確定する方法は、ユーザー装置が、現在アップリンク・ダウンリンクサブフレームの再配置周期内で、ネットワーク側装置から送信されたアップリンク・ダウンリンクサブフレーム配置情報を受信するステップと、ユーザー装置が、前記周期内で前記アップリンク・ダウンリンクサブフレーム配置情報を受信できなかった場合、特定のアップリンク・ダウンリンクサブフレーム配置を確定するステップと、前記ユーザー装置が、特定のアップリンク・ダウンリンクサブフレーム配置に従って前記周期内で前記ネットワーク側装置と通信するステップと、を含む。
【００１０】
好ましくは、前記ユーザー装置による特定のアップリンク・ダウンリンクサブフレーム配置の確定は、前記ユーザー装置が、最新に成功受信したアップリンク・ダウンリンクサブフレーム配置情報に対応するアップリンク・ダウンリンクサブフレーム配置を、特定のアップリンク・ダウンリンクサブフレーム配置とすること、あるいは、前記ユーザー装置が、全ての候補となるアップリンク・ダウンリンクサブフレーム配置から、ダウンリンクサブフレーム又はアップリンクサブフレームの最も多いアップリンク・ダウンリンクサブフレーム配置を選択して、特定のアップリンク・ダウンリンクサブフレーム配置とすること、あるいは、前記ユーザー装置が、その前に受信した、ネットワーク側装置から上位階層シグナリングにより送信された特定のアップリンク・ダウンリンクサブフレーム配置情報に基づいて、特定のアップリンク・ダウンリンクサブフレーム配置を確定すること、あるいは、前記ユーザー装置が、その前に受信した、ネットワーク側装置からシステムブロードキャストにより送信されたアップリンク・ダウンリンクサブフレーム配置情報に対応するアップリンク・ダウンリンクサブフレーム配置を、特定のアップリンク・ダウンリンクサブフレーム配置とすること、あるいは、前記ユーザー装置が、ＤＬ  ＨＡＲＱ  ｔｉｍｉｎｇ又はＵＬ  ＨＡＲＱ  ｔｉｍｉｎｇを確定するための基準アップリンク・ダウンリンクサブフレーム配置を、特定のアップリンク・ダウンリンクサブフレーム配置とすること、あるいは、前記ユーザー装置が、３ＧＰＰ  ＴＳ３６．２１１に規定されているアップリンク・ダウンリンク配置から１つのアップリンク・ダウンリンク配置を選択して、特定のアップリンク・ダウンリンクサブフレーム配置とすること、を含む。
【００１１】
好ましくは、前記ユーザー装置が、３ＧＰＰ  ＴＳ３６．２１１に規定されているアップリンク・ダウンリンク配置から、アップリンク・ダウンリンク配置２又はアップリンク・ダウンリンク配置５を選択する。
【００１２】
好ましくは、前記ユーザー装置が、３ＧＰＰ  ＴＳ３６．２１１に規定されているアップリンク・ダウンリンク配置から、アップリンク・ダウンリンク配置０を選択する。
【００１３】
好ましくは、前記周期内での前記ユーザー装置と前記ネットワーク側装置との通信は、前記ユーザー装置が前記周期内で特定のアップリンク・ダウンリンクサブフレーム配置に従って前記ネットワーク側装置と通信し、前記特定のアップリンク・ダウンリンクサブフレーム配置を、現在アップリンク・ダウンリンクサブフレームの再配置周期内のアップリンクサブフレーム及び／又はダウンリンクサブフレームの確定に用いる方式と、前記ユーザー装置が前記周期内で特定のアップリンク・ダウンリンクサブフレーム配置に従って前記ネットワーク側装置と通信し、前記特定のアップリンク・ダウンリンクサブフレーム配置を、ＰＤＣＣＨ及び／又はＥ−ＰＤＣＣＨのブラインド検出を行うサブフレームの確定に用いる方式と、前記ユーザー装置が前記周期内で特定のアップリンク・ダウンリンクサブフレーム配置に従って前記ネットワーク側装置と通信し、前記特定のアップリンク・ダウンリンクサブフレーム配置を、ＤＬ  ＨＡＲＱ  ｔｉｍｉｎｇの確定に用いる方式と、前記ユーザー装置が前記周期内で特定のアップリンク・ダウンリンクサブフレーム配置に従って前記ネットワーク側装置と通信し、前記特定のアップリンク・ダウンリンクサブフレーム配置を、アップリンクＰＵＳＣＨスケジューリング・タイミング及びアップリンクＨＡＲＱ  ｔｉｍｉｎｇの確定に用いる方式との一部又は全部を含む。
【００１４】
本発明の実施例で提供したアップリンク・ダウンリンクサブフレーム配置情報を確定するユーザー装置は、現在アップリンク・ダウンリンクサブフレームの再配置周期内で、ネットワーク側装置から送信されたアップリンク・ダウンリンクサブフレーム配置情報を受信する受信モジュールと、前記周期内で前記アップリンク・ダウンリンクサブフレーム配置情報を受信できなかった場合、特定のアップリンク・ダウンリンクサブフレーム配置を確定する確定モジュールと、特定のアップリンク・ダウンリンクサブフレーム配置に従って前記周期内で前記ネットワーク側装置と通信する通信モジュールと、を含む。
【００１５】
好ましくは、前記確定モジュールは、具体的に、最新に成功受信したアップリンク・ダウンリンクサブフレーム配置情報に対応するアップリンク・ダウンリンクサブフレーム配置を、特定のアップリンク・ダウンリンクサブフレーム配置とすること、あるいは、全ての候補となるアップリンク・ダウンリンクサブフレーム配置から、ダウンリンクサブフレーム又はアップリンクサブフレームの最も多いアップリンク・ダウンリンクサブフレーム配置を選択して、特定のアップリンク・ダウンリンクサブフレーム配置とすること、あるいは、その前に受信した、ネットワーク側装置から上位階層シグナリングにより送信された特定のアップリンク・ダウンリンクサブフレーム配置情報に基づいて、特定のアップリンク・ダウンリンクサブフレーム配置を確定すること、あるいは、その前に受信した、ネットワーク側装置からシステムブロードキャストにより送信されたアップリンク・ダウンリンクサブフレーム配置情報に対応するアップリンク・ダウンリンクサブフレーム配置を、特定のアップリンク・ダウンリンクサブフレーム配置とすること、あるいは、ＤＬ  ＨＡＲＱ  ｔｉｍｉｎｇ又はＵＬ  ＨＡＲＱ  ｔｉｍｉｎｇを確定するための基準アップリンク・ダウンリンクサブフレーム配置を、特定のアップリンク・ダウンリンクサブフレーム配置とすること、あるいは、３ＧＰＰ  ＴＳ３６．２１１に規定されているアップリンク・ダウンリンク配置から１つのアップリンク・ダウンリンク配置を選択して特定のアップリンク・ダウンリンクサブフレーム配置とすることに用いられる。
【００１６】
好ましくは、前記確定モジュールは、具体的に、３ＧＰＰ  ＴＳ３６．２１１に規定されているアップリンク・ダウンリンク配置から１つのアップリンク・ダウンリンク配置を選択して特定のアップリンク・ダウンリンクサブフレーム配置とするときに、３ＧＰＰ  ＴＳ３６．２１１に規定されているアップリンク・ダウンリンク配置からアップリンク・ダウンリンク配置２又はアップリンク・ダウンリンク配置５を選択することに用いられる。
【００１７】
好ましくは、前記確定モジュールは、具体的に、３ＧＰＰ  ＴＳ３６．２１１に規定されているアップリンク・ダウンリンク配置から１つのアップリンク・ダウンリンク配置を選択して特定のアップリンク・ダウンリンクサブフレーム配置とするときに、３ＧＰＰ  ＴＳ３６．２１１に規定されているアップリンク・ダウンリンク配置からアップリンク・ダウンリンク配置０を選択することに用いられる。
【００１８】
好ましくは、前記通信モジュールは、具体的に、前記周期内で特定のアップリンク・ダウンリンクサブフレーム配置に従って前記ネットワーク側装置と通信し、前記特定のアップリンク・ダウンリンクサブフレーム配置を、現在アップリンク・ダウンリンクサブフレームの再配置周期内のアップリンクサブフレーム及び／又はダウンリンクサブフレームの確定に用いる方式と、前記周期内で特定のアップリンク・ダウンリンクサブフレーム配置に従って前記ネットワーク側装置と通信し、前記特定のアップリンク・ダウンリンクサブフレーム配置を、ＰＤＣＣＨ及び／又はＥ−ＰＤＣＣＨのブラインド検出を行うサブフレームの確定に用いる方式と、前記周期内で特定のアップリンク・ダウンリンクサブフレーム配置に従って前記ネットワーク側装置と通信し、前記特定のアップリンク・ダウンリンクサブフレーム配置を、ＤＬ  ＨＡＲＱ  ｔｉｍｉｎｇの確定に用いる方式と、前記周期内で特定のアップリンク・ダウンリンクサブフレーム配置に従って前記ネットワーク側装置と通信し、前記特定のアップリンク・ダウンリンクサブフレーム配置を、アップリンクＰＵＳＣＨスケジューリング・タイミング及びアップリンクＨＡＲＱ  ｔｉｍｉｎｇの確定に用いる方式との一部又は全部を含む、前記周期内での前記ネットワーク側装置との通信に用いられる。
【００１９】
本発明の実施例は、プロセッサとデータ送受信機を含むユーザー装置であって、前記プロセッサは、現在アップリンク・ダウンリンクサブフレームの再配置周期内でネットワーク側装置から送信されたアップリンク・ダウンリンクサブフレーム配置情報を受信し、周期内でアップリンク・ダウンリンクサブフレーム配置情報を受信できなかった場合、特定のアップリンク・ダウンリンクサブフレーム配置を確定し、特定のアップリンク・ダウンリンクサブフレーム配置に従って周期内でネットワーク側装置と通信するように構成されており、前記データ送受信機は、前記プロセッサとネットワーク側装置との間のデータ伝送を実現することに用いられる、ユーザー装置をさらに提供する。
【００２０】
本発明の実施例によるユーザー装置は、現在アップリンク・ダウンリンクサブフレームの再配置周期内でネットワーク側装置から送信されたアップリンク・ダウンリンクサブフレーム配置情報の受信に失敗した後に、現在アップリンク・ダウンリンクサブフレームの再配置周期内で特定のアップリンク・ダウンリンクサブフレーム配置に従って前記ネットワーク側装置と通信することにより、ネットワーク側から送信されたアップリンク・ダウンリンクサブフレーム配置情報を携えた物理層制御シグナリングを正しく受信できなくて、ネットワークと通常に通信できない状況の発生確率を低下させ、ユーザーのスループットを向上させることになる。
【図面の簡単な説明】
【００２１】
【図１】図１は、背景技術におけるＴＤ−ＬＴＥシステムのフレーム構造の概略図である。
【図２】図２は、本発明の実施例による通信を行う方法の流れ図である。
【図３】図３は、本発明の実施例によるユーザー装置の構造の概略図である。
【図４】図４は、本発明の実施例によるアップリンク・ダウンリンクサブフレーム配置情報の送信を示す概略図である。
【発明を実施するための形態】
【００２２】
本発明の実施例によるユーザー装置は、現在アップリンク・ダウンリンクサブフレームの再配置周期内でネットワーク側装置から送信されたアップリンク・ダウンリンクサブフレーム配置情報の受信に失敗した後に、現在アップリンク・ダウンリンクサブフレームの再配置周期内で特定のアップリンク・ダウンリンクサブフレーム配置に従ってネットワーク側装置と通信することにより、ネットワーク側から送信されたアップリンク・ダウンリンクサブフレーム配置情報を携えた物理層制御シグナリングを正しく受信できないことを低減させ、ネットワークと通常に通信できない状況の発生確率を低下させ、ユーザーのスループットを向上させることになる。
【００２３】
図２に示すように、本発明の実施例による通信を行う方法は、ユーザー装置が現在アップリンク・ダウンリンクサブフレームの再配置周期内でネットワーク側装置から送信されたアップリンク・ダウンリンクサブフレーム配置情報を受信するステップ２０１と、ユーザー装置が現在アップリンク・ダウンリンクサブフレームの再配置周期内でアップリンク・ダウンリンクサブフレーム配置情報を受信できなかった場合、特定のアップリンク・ダウンリンクサブフレーム配置を確定するステップ２０２と、ユーザー装置が特定のアップリンク・ダウンリンクサブフレーム配置に従って現在アップリンク・ダウンリンクサブフレームの再配置周期内でネットワーク側装置と通信するステップ２０３と、を含む。
【００２４】
好ましくは、ユーザー装置は、下記のアップリンク・ダウンリンクサブフレーム配置中の１種を特定のアップリンク・ダウンリンクサブフレーム配置とすることができ、即ち、ユーザー装置が、最新に成功受信したアップリンク・ダウンリンクサブフレーム配置情報に対応するアップリンク・ダウンリンクサブフレーム配置を、特定のアップリンク・ダウンリンクサブフレーム配置とする、あるいは、ユーザー装置が、全ての候補となるアップリンク・ダウンリンクサブフレーム配置から、ダウンリンクサブフレーム又はアップリンクサブフレームの最も多いアップリンク・ダウンリンクサブフレーム配置を選択して、特定のアップリンク・ダウンリンクサブフレーム配置とする、あるいは、ユーザー装置が、その前に受信した、ネットワーク側装置から上位階層シグナリングにより送信された特定のアップリンク・ダウンリンクサブフレーム配置情報に基づいて、特定のアップリンク・ダウンリンクサブフレーム配置を確定し、この方式では、ユーザー装置が確定する前に、ネットワーク側が予め、上位階層シグナリングにより１つの特定のアップリンク・ダウンリンクサブフレーム配置情報をユーザー装置に報知する、あるいは、ユーザー装置が、その前に受信した、ネットワーク側装置からシステムブロードキャストにより送信されたアップリンク・ダウンリンクサブフレーム配置情報に対応するアップリンク・ダウンリンクサブフレーム配置を、特定のアップリンク・ダウンリンクサブフレーム配置とする、あるいは、ユーザー装置が、ＤＬ  ＨＡＲＱ  ｔｉｍｉｎｇ又はＵＬ  ＨＡＲＱ  ｔｉｍｉｎｇを確定するための基準アップリンク・ダウンリンクサブフレーム配置を、特定のアップリンク・ダウンリンクサブフレーム配置とし、この方式では、ＤＬ  ＨＡＲＱ  ｔｉｍｉｎｇ又はＵＬ  ＨＡＲＱ  ｔｉｍｉｎｇを確定するための基準アップリンク・ダウンリンクサブフレームが、ネットワーク側からシグナリングによりユーザー装置に報知されてもよいし、又はプロトコルで約束されてもよい、あるいは、ユーザー装置が、３ＧＰＰ  ＴＳ３６．２１１に規定されているアップリンク・ダウンリンク配置から１つのアップリンク・ダウンリンク配置を選択して、特定のアップリンク・ダウンリンクサブフレーム配置とする。
【００２５】
好ましくは、ユーザー装置が、３ＧＰＰ  ＴＳ３６．２１１に規定されているアップリンク・ダウンリンク配置から、アップリンク・ダウンリンク配置２又はアップリンク・ダウンリンク配置５、即ち表１におけるアップリンク・ダウンリンク配置２又はアップリンク・ダウンリンク配置５を選択する。
【００２６】
好ましくは、ユーザー装置が、３ＧＰＰ  ＴＳ３６．２１１に規定されているアップリンク・ダウンリンク配置から、アップリンク・ダウンリンク配置０、即ち表１におけるアップリンク・ダウンリンク配置０を選択する。
【００２７】
好ましくは、周期内でのユーザー装置とネットワーク側装置との通信は、ユーザー装置が周期内で特定のアップリンク・ダウンリンクサブフレーム配置に従ってネットワーク側装置と通信し、特定のアップリンク・ダウンリンクサブフレーム配置を、現在アップリンク・ダウンリンクサブフレームの再配置周期内のアップリンクサブフレーム及び／又はダウンリンクサブフレームの確定に用い、即ち、特定のアップリンク・ダウンリンクサブフレーム配置に基づいて現在アップリンク・ダウンリンクサブフレームの再配置周期内のアップリンクサブフレーム及び／又はダウンリンクサブフレームを確定し、周期内で、確定したアップリンクサブフレーム及び／又はダウンリンクサブフレームに従ってネットワーク側装置と通信する方式と、ユーザー装置が周期内で特定のアップリンク・ダウンリンクサブフレーム配置に従ってネットワーク側装置と通信し、特定のアップリンク・ダウンリンクサブフレーム配置を、ＰＤＣＣＨ及び／又はＥ−ＰＤＣＣＨのブラインド検出を行なうサブフレームの確定に用い、即ち、特定のアップリンク・ダウンリンクサブフレーム配置に基づいてＰＤＣＣＨ及び／又はＥ−ＰＤＣＣＨのブラインド検出を行なうサブフレームを確定する方式と、ユーザー装置が周期内で特定のアップリンク・ダウンリンクサブフレーム配置に従ってネットワーク側装置と通信し、特定のアップリンク・ダウンリンクサブフレーム配置を、ＤＬ  ＨＡＲＱ  ｔｉｍｉｎｇの確定に用い、即ち、特定のアップリンク・ダウンリンクサブフレーム配置に基づいて、ダウンリンクデータＰＤＳＣＨのＨＡＲＱプロセスのフィードバック・タイミングを確定する方式と、ユーザー装置が周期内で特定のアップリンク・ダウンリンクサブフレーム配置に従ってネットワーク側装置と通信し、特定のアップリンク・ダウンリンクサブフレーム配置を、アップリンクＰＵＳＣＨスケジューリング・タイミング及びアップリンクＨＡＲＱ  ｔｉｍｉｎｇの確定に用い、即ち、特定のアップリンク・ダウンリンクサブフレーム配置に基づいて、アップリンクＰＵＳＣＨのスケジューリング・タイミング及びアップリンクＰＵＳＣＨのＨＡＲＱプロセスのフィードバック・タイミングを確定する方式との一部又は全部を含む。
【００２８】
本発明の実施例では、同一の発明構想に基づき、ユーザー装置がさらに提供され、当該装置の問題解決原理が本発明の実施例による通信を行う方法と類似するため、当該装置の実施については方法の実施を参照でき、重複な箇所についてこれ以上説明しない。
【００２９】
図３に示すように、本発明の実施例によるユーザー装置は、受信モジュール３００と、確定モジュール３１０と、通信モジュール３２０と、を含む。
【００３０】
受信モジュール３００は、現在アップリンク・ダウンリンクサブフレームの再配置周期内で、ネットワーク側装置から送信されたアップリンク・ダウンリンクサブフレーム配置情報を受信する。
【００３１】
確定モジュール３１０は、周期内でアップリンク・ダウンリンクサブフレーム配置情報を受信できなかった場合、特定のアップリンク・ダウンリンクサブフレーム配置を確定する。
【００３２】
通信モジュール３２０は、特定のアップリンク・ダウンリンクサブフレーム配置に従って周期内でネットワーク側装置と通信する。
【００３３】
好ましくは、確定モジュール３１０は、具体的に、最新に成功受信したアップリンク・ダウンリンクサブフレーム配置情報に対応するアップリンク・ダウンリンクサブフレーム配置を、特定のアップリンク・ダウンリンクサブフレーム配置とすること、あるいは、全ての候補となるアップリンク・ダウンリンクサブフレーム配置から、ダウンリンクサブフレーム又はアップリンクサブフレームの最も多いアップリンク・ダウンリンクサブフレーム配置を選択して、特定のアップリンク・ダウンリンクサブフレーム配置とすること、あるいは、その前に受信した、ネットワーク側装置から上位階層シグナリングにより送信された特定のアップリンク・ダウンリンクサブフレーム配置情報に基づいて、特定のアップリンク・ダウンリンクサブフレーム配置を確定すること、あるいは、その前に受信した、ネットワーク側装置からシステムブロードキャストにより送信されたアップリンク・ダウンリンクサブフレーム配置情報に対応するアップリンク・ダウンリンクサブフレーム配置を、特定のアップリンク・ダウンリンクサブフレーム配置とすること、あるいは、ＤＬ  ＨＡＲＱ  ｔｉｍｉｎｇ又はＵＬ  ＨＡＲＱ  ｔｉｍｉｎｇを確定するための基準アップリンク・ダウンリンクサブフレーム配置を、特定のアップリンク・ダウンリンクサブフレーム配置とすること、あるいは、３ＧＰＰ  ＴＳ３６．２１１に規定されているアップリンク・ダウンリンク配置から１つのアップリンク・ダウンリンク配置を選択して特定のアップリンク・ダウンリンクサブフレーム配置とすることに用いられる。
【００３４】
好ましくは、確定モジュール３１０は、具体的に、３ＧＰＰ  ＴＳ３６．２１１に規定されているアップリンク・ダウンリンク配置から１つのアップリンク・ダウンリンク配置を選択して特定のアップリンク・ダウンリンクサブフレーム配置とするときに、３ＧＰＰ  ＴＳ３６．２１１に規定されているアップリンク・ダウンリンク配置からアップリンク・ダウンリンク配置２又はアップリンク・ダウンリンク配置５を選択することに用いられる。
【００３５】
好ましくは、確定モジュール３１０は、具体的に、３ＧＰＰ  ＴＳ３６．２１１に規定されているアップリンク・ダウンリンク配置から１つのアップリンク・ダウンリンク配置を選択して特定のアップリンク・ダウンリンクサブフレーム配置とするときに、３ＧＰＰ  ＴＳ３６．２１１に規定されているアップリンク・ダウンリンク配置からアップリンク・ダウンリンク配置０を選択することに用いられる。
【００３６】
好ましくは、通信モジュール３２０は、具体的に、周期内で特定のアップリンク・ダウンリンクサブフレーム配置に従ってネットワーク側装置と通信し、特定のアップリンク・ダウンリンクサブフレーム配置を、現在アップリンク・ダウンリンクサブフレームの再配置周期内のアップリンクサブフレーム及び／又はダウンリンクサブフレームの確定に用いる方式と、周期内で特定のアップリンク・ダウンリンクサブフレーム配置に従ってネットワーク側装置と通信し、特定のアップリンク・ダウンリンクサブフレーム配置を、ＰＤＣＣＨ及び／又はＥ−ＰＤＣＣＨのブラインド検出を行うサブフレームの確定に用いる方式と、周期内で特定のアップリンク・ダウンリンクサブフレーム配置に従ってネットワーク側装置と通信し、特定のアップリンク・ダウンリンクサブフレーム配置を、ＤＬ  ＨＡＲＱ  ｔｉｍｉｎｇの確定に用いる方式と、周期内で特定のアップリンク・ダウンリンクサブフレーム配置に従ってネットワーク側装置と通信し、特定のアップリンク・ダウンリンクサブフレーム配置を、アップリンクＰＵＳＣＨスケジューリング・タイミング及びアップリンクＨＡＲＱ  ｔｉｍｉｎｇの確定に用いる方式との一部又は全部を含む、周期内でのネットワーク側装置との通信に用いられる。
【００３７】
本発明の実施例は、プロセッサとデータ送受信機を含むユーザー装置であって、前記プロセッサは、現在アップリンク・ダウンリンクサブフレームの再配置周期内でネットワーク側装置から送信されたアップリンク・ダウンリンクサブフレーム配置情報を受信し、周期内でアップリンク・ダウンリンクサブフレーム配置情報を受信できなかった場合、特定のアップリンク・ダウンリンクサブフレーム配置を確定し、特定のアップリンク・ダウンリンクサブフレーム配置に従って周期内でネットワーク側装置と通信するように構成されており、前記データ送受信機は、前記プロセッサとネットワーク側装置との間のデータ伝送を実現することに用いられる、ユーザー装置をさらに提供する。
【００３８】
以下、ユーザー装置が、最新に成功受信したアップリンク・ダウンリンクサブフレーム配置情報に対応するアップリンク・ダウンリンクサブフレーム配置を、特定のアップリンク・ダウンリンクサブフレーム配置とする例を挙げて、本発明の方案について説明する。
【００３９】
図４に示すように、基地局はＰＤＣＣＨを用いて各無線フレームのサブフレーム０にて、アップリンク・ダウンリンクサブフレーム配置を携えたＤＣＩを送信して、当該無線フレームにおいてセルが採用したアップリンク・ダウンリンクサブフレーム配置をユーザー装置に報知する。
【００４０】
ユーザー装置は、無線フレームｉのサブフレーム０にて、ネットワークに使用されたアップリンク・ダウンリンク配置である配置０を正しく受信すれば、配置０が定義した方式に従ってネットワークと通信する。
【００４１】
次の無線フレームｉ＋１のネットワーク側において、アップリンク・ダウンリンク配置が配置２に修正されており、ユーザー装置がサブフレーム０にて、ネットワーク側から送信されたアップリンク・ダウンリンクサブフレーム配置を携えたＰＤＣＣＨを正しく受信できなかった場合、ユーザー装置が相変わらず１フレーム前の無線フレームｉと同一の配置０に従ってネットワークと通信する。
【００４２】
本発明の実施例が、方法、システム又はコンピュータプログラム製品として提供され得ることは、本分野の技術者として理解できるはずである。したがって、本発明は、完全なハードウェア実施例、完全なソフトウェア実施例、又はソフトウェアとハードウェアの両方を組み合わせた実施例の形を採用することができる。さらに、本発明は、コンピュータ使用可能なプログラムコードを含む一つ又は複数のコンピュータ使用可能な記憶媒体（ディスク記憶装置、ＣＤ−ＲＯＭ、光学記憶装置等を含むが、それらに限らない）に実施されたコンピュータプログラム製品の形を採用することができる。
【００４３】
本発明は、本発明の実施例による方法、装置（システム）及びコンピュータプログラム製品の流れ図及び／又はブロック図を参照して記述されている。流れ図及び／又はブロック図における各プロセス及び／又はブロックと、流れ図及び／又はブロック図におけるプロセス及び／又はブロックの組み合わせが、コンピュータプログラム指令によって実現され得ることは、理解されるべきである。これらコンピュータプログラム指令は汎用コンピュータ、専用コンピュータ、組込み式処理装置又は他のプログラム可能なデータ処理装置のプロセッサに提供されてマシンが生成され、コンピュータ又は他のプログラム可能なデータ処理装置のプロセッサで実行される指令によって、流れ図の一つ又は複数のプロセス及び／又はブロック図の一つ又は複数のブロックに指定された機能を実現するための装置が生成される。
【００４４】
これらコンピュータプログラム指令はさらに、コンピュータ又は他のプログラム可能なデータ処理装置が特定の方式で作動するようにガイドできるコンピュータ読取可能記憶装置に記憶されてもよく、当該コンピュータ読取可能記憶装置に記憶される指令によって、流れ図の一つ又は複数のプロセス及び／又はブロック図の一つ又は複数のブロックに指定された機能を実現する指令装置が含められた製造品が生成されることになる。
【００４５】
これらコンピュータプログラム指令はさらに、コンピュータ又は他のプログラム可能な装置に一連の操作ステップが実行されて、コンピュータによる処理が生成されるように、コンピュータ又は他のプログラム可能なデータ処理装置に実装されてもよく、コンピュータ又は他のプログラム可能な装置に実行される指令によって、流れ図の一つ又は複数のプロセス及び／又はブロック図の一つ又は複数のブロックに指定された機能を実現するステップが提供されることになる。
【００４６】
本発明の好ましい実施例を記述したが、本分野の技術者は基本的な創造性概念を理解すると、これら実施例に対して別の変更と修正を行うことができる。したがって、添付している特許請求の範囲は、好ましい実施例および本発明の範囲に入る全ての変更と修正を含むことを理解されたい。
【００４７】
本分野の技術者が本発明の精神及び範囲から逸脱することなく本発明に対して種々の修正及び変形を実施できることは、明らかである。このように、本発明によるこれら修正及び変形が本発明の特許請求の範囲及びその同等技術の範囲内に属すれば、これら修正及び変形も本発明に含まれることを理解されたい。
【図１】
2016515781.tif 000004
【図２】
2016515781.tif 000005
【図３】
2016515781.tif 000006
【図４】
2016515781.tif 000007
【国際調査報告】
2016515781.tif 000008
2016515781.tif 000009
2016515781.tif 000010
2016515781.tif 000011